(57)【要約】      （修正有）【課題】擁壁に設けられ、擁壁の崩落を効果的に防止できる排水装置を提供する。【解決手段】排水器１１０と濾過板１２０とを備える。排水器１１０は、排水孔１１２を有する中空円筒体１１１と、中空円筒体１１１に連接して複数の吸水口１１６を有する蓋体１１５とを備える。濾過板１２０は、排水器１１０内に設置されている。濾過板１２０は、複数の濾過口１２１を有し、蓋体１１５との間に、複数の吸水口１１６、複数の濾過口１２１、及び排水孔１１２に連通する収納空間Ｓを有する。【選択図】図１
0003199860.tif 000002
【実用新案登録請求の範囲】
【請求項１】
排水孔を有する中空円筒体と、前記中空円筒体に連接されており複数の吸水口を有する蓋体とを有する排水器と、
前記排水器内に設置されており、複数の濾過口を有し、前記蓋体との間に、前記複数の吸水口、前記複数の濾過口、及び前記排水孔に連通する収納空間を有する濾過板と、
を備え、擁壁に設けられていることを特徴とする排水装置。
【請求項２】
前記濾過板は前記中空円筒体の前記排水孔に結合されていることを特徴とする請求項１に記載の排水装置。
【請求項３】
前記濾過板は前記蓋体内に結合されていることを特徴とする請求項１に記載の排水装置。
【請求項４】
前記中空円筒体の前記排水孔は、壁部と前記壁部に突設されている少なくとも１つの第１位置限定部を有し、
前記濾過板は前記第１位置限定部により位置が限定されていることを特徴とする請求項２に記載の排水装置。
【請求項５】
前記濾過板は前記第１位置限定部により位置が限定されている第２位置限定部を有することを特徴とする請求項４に記載の排水装置。
【請求項６】
前記第１位置限定部は、前記壁部の凹部に凹設されており、
前記第２位置限定部は、前記濾過板のリブ部に凸設されており、前記第１位置限定部に嵌設されていることを特徴とする請求項５に記載の排水装置。
【考案の詳細な説明】
【技術分野】
【０００１】
本考案は、排水装置に関し、詳しくは、擁壁に設けられている排水装置に関する。
【背景技術】
【０００２】
従来の排水装置は、排水器と不織布フィルタを備える。排水器は、吸水口、出水口、及び吸水口と出水口に連通する排水孔を有し、不織布フィルタが排水器の吸水口に被覆されており、堆積した土砂と砕石を濾過し、余分な水分を排水孔と出水口から排出させる。
【考案の概要】
【考案が解決しようとする課題】
【０００３】
しかしながら、前述した従来の技術では、即ち、不織布フィルタが土石に押し出されて破裂すると、土石は吸水口を経由して排水孔に流れ、擁壁後方の土壌が空洞化して擁壁が崩落する状況を招いた。そこで、本考案者は上記の欠点が改善可能と考え、鋭意検討を重ねた結果、合理的設計で上記の課題を効果的に改善する本考案の提案に到った。
【０００４】
本考案は、以上の従来技術の課題を解決する為になされたものである。即ち、本考案の目的は、擁壁に設けられている排水装置を提供する。
【課題を解決するための手段】
【０００５】
上記課題を解決し、目的を達成するために、本考案に係る排水装置は、排水器と濾過板とを備える。排水器は、排水孔を有する中空円筒体と、中空円筒体に連接されており複数の吸水口を有する蓋体とを有する。濾過板は、排水器内に設置されており、複数の濾過口を有し、蓋体との間に、複数の吸水口、複数の濾過口、及び排水孔に連通する収納空間を有する。
【０００６】
本考案では、蓋体と濾過板の間にある収納空間によって、排水装置が擁壁の排水孔に設けられると、収納空間に載置された石が、スロープの砕石とほこりが濾過口と排水孔に進入するのを遮断できると共に、余分な水分を効果的にフィルタリングして、水分を濾過板の濾過口、排水孔、及び排水孔から排出させることができる。
【図面の簡単な説明】
【０００７】
【図１】本考案の一実施形態に係る排水装置を示す分解斜視図である。
【図２】本考案の一実施形態に係る排水装置を示す斜視図である。
【図３】本考案の一実施形態に係る排水装置を示す断面図である。
【図４】本考案の一実施形態に係る排水装置を示す断面図である。
【図５】本考案の他の実施形態に係る排水装置を示す断面図である。
【考案を実施するための形態】
【０００８】
（一実施形態）
本考案における好ましい実施形態について、添付図面を参照して説明する。尚、以下に説明する実施形態は、実用新案登録請求の範囲に記載された本考案の内容を限定するものではない。また、以下に説明される構成の全てが、本考案の必須要件であるとは限らない。
【０００９】
以下、本考案の一実施形態について添付図面に基づき説明する。本考案の一実施形態に係る排水装置１００は、擁壁に設けられており、排水器１１０と濾過板１２０を備え、排水器１１０は中空円筒体１１１と、中空円筒体１１１に連接する蓋体１１５とを有し、中空円筒体１１１には排水孔１１２があり、蓋体１１５には複数の吸水口１１６がある（図１、図２、図３参照）。本実施形態では、蓋体１１５は一体で中空円筒体１１１に成形され、濾過板１２０は排水器１１０内に設置され、濾過板１２０には複数の濾過口１２１があり、濾過板１２０と蓋体１１５の間には収納空間Ｓがあり、収納空間Ｓは複数の吸水口１１６に連通され、複数の濾過口１２１と排水孔１１２は、本実施形態では、濾過板１２０は中空円筒体１１１の排水孔１１２に結合され、又は、別の実施形態では、濾過板１２０は蓋体１１５内に結合される。
【００１０】
図１、図２、図３、図４によれば、中空円筒体１１１の排水孔１１２は、壁部１１３及び壁部１１３に設置される第１位置限定部１１４を備え、本実施形態では、濾過板は第１位置限定部に位置限定される第２位置限定部を有する。
なお、本実施形態では、第１位置限定部は、壁部１１３の凹部に凹設され、第２位置限定部は濾過板１２０のリブ部に凸設され、第２位置限定部１２２（リブ部）は第１位置限定部（凹部）に嵌設され、濾過板１２０が中空円筒体１１１の排水孔１１２に限定される（図１、図２、図３及び図４参照）。
【００１１】
また、図４、図５は擁壁Ｗに設けられている排水装置１００を示す模式図である。排水器１１０の中空円筒体１１１は別途係合部１１１ａを有し、中空円筒体１１１が擁壁Ｗの排水孔Ａに設けられると、係合部１１１ａが排水孔Ａの壁部に係止して設けられる。本考案は、蓋体１１５と濾過板１２０の間にある収納空間Ｓによって濾過材Ｂを置き、濾過材Ｂは石でもよく、収納空間Ｓに載置された濾過材Ｂ（石）が、土Ｃの砕石とほこりが濾過口１２１と排水孔Ａに進入するのを遮断できると共に、余分な水分をフィルタリングして、水分を濾過板１２０の濾過口１２１、排水孔１１２、及び排水孔Ａから排出させ、擁壁Ｗが崩落するのを効果的に防止することができる。
【００１２】
以上、本考案の実施形態について図面を参照して詳述したが、具体的な構成はこの実施形態に限られるものではなく、本考案の要旨を逸脱しない範囲の設計変更等も含まれる。
【符号の説明】
【００１３】
１００  排水装置、
１１０  排水器、
１１１  中空円筒体、
１１１ａ  係合部、
１１２  排水孔、
１１３  壁部、
１１４  第１位置限定部、
１１５  蓋体、
１１６  吸水口、
１２０  濾過板、
１２１  濾過口、
１２２  第２位置限定部、
Ｓ  収納空間、
Ｗ  擁壁、
Ａ  排水孔、
Ｂ  濾過材、
Ｃ  土。
【図１】
0003199860.tif 000003
【図２】
0003199860.tif 000004
【図３】
0003199860.tif 000005
【図４】
0003199860.tif 000006
【図５】
0003199860.tif 000007